(57)【要約】【課題】給電コードの長さを調節するためのコード調節具の小径化並びに薄肉化に貢献することができる照明器具を提供すること。【解決手段】被取付部と照明装置本体とを電気的に接続する調節具本体と、調節具本体と接続した照明光源を取り付けるソケットと、を備え、調節具本体は、接続部材と、外部電源からの電力を電絡させる給電コードと、給電コードによる被取付部と照明装置本体との相対距離に相当する長さを調節する断面形状が直線状のコード調節具と、接続部材とコード調節具とを覆うカバーと、を備える。【選択図】図１１
2017010695.tif 000002
【特許請求の範囲】
【請求項１】
被取付部と照明装置本体とを電気的に接続する調節具本体と、
前記調節具本体と接続した照明光源を取り付けるソケットと、
を備え、
前記調節具本体は、
接続部材と、
外部電源からの電力を電絡させる給電コードと、
前記給電コードによる前記被取付部と前記照明装置本体との相対距離に相当する長さを調節する断面形状が直線状のコード調節具と、
前記接続部材と前記コード調節具とを覆うカバーと、
を備えることを特徴とする照明器具。
【請求項２】
前記ソケットは、
前記外部電源からの電力を電絡する出力端子部と、
前記外部電源から前記出力端子部へと向う回路構成上における高電位側又は低電位側にカスケード接続した複数の過電流保護素子と、
を備えることを特徴とする請求項１に記載の照明器具。
【請求項３】
前記接続部材は、
前記外部電源からの電力を電絡する出力端子部と、
前記外部電源から前記出力端子部へと向う回路構成上における高電位側又は低電位側にカスケード接続した複数の過電流保護素子と、
を備えることを特徴とする請求項１に記載の照明器具。
【請求項４】
前記複数の過電流保護素子は、
所定の特性値以下となったときに自己復帰する復帰型である
ことを特徴とする請求項１〜請求項３の何れか１の請求項に記載の照明器具。
【請求項５】
前記複数の過電流保護素子には、
少なくとも高低で２つの異なった特性値を有するものを用いる
ことを特徴とする請求項２〜請求項４の何れか１の請求項に記載の照明器具。
【請求項６】
前記複数の過電流保護素子のうち、
特性値の低い前記過電流保護素子を前記外部電源側に配置し、
特性値の高い前記過電流保護素子を前記前記照明光源側に配置した
ことを特徴とする請求項５に記載の照明器具。
【請求項７】
前記過電流保護素子には、所定温度を超えると電流を遮断する正の温度係数を有するサーミスタが用いられ、
前記特性値の高低は、
前記過電流保護素子の最大定格電圧（Ｖ）、保持電流値（Ａ）、トリップ電流値（Ａ）、又は、前記過電流保護素子そのものの過熱に対する前記所定温度の何れか一つ以上を基準としている
ことを特徴とする請求項６に記載の照明器具。
【請求項８】
前記複数の過電流保護素子には、
同一の特性値を有するものを用いる
ことを特徴とする請求項２〜請求項４の何れか１の請求項に記載の照明器具。
【請求項９】
前記過電流保護素子には、所定温度を超えると電流を遮断する正の温度係数を有するサーミスタが用いられる
ことを特徴とする請求項８に記載の照明器具。
【請求項１０】
前記接続部材は、
固定用の引掛シーリングプラグ又はガイドレール用のスライドシーリングプラグである
ことを特徴とする請求項１〜請求項９の何れか１の請求項に記載の照明器具。
【発明の詳細な説明】
【技術分野】
【０００１】
本発明は、照明器具、特に、給電コードによって照明装置本体を吊持した照明器具に関する。
【背景技術】
【０００２】
従来、例えば、天井に設置した被取付部に給電コードの一端を係合することにより照明装置本体の吊持及び電力を供給するようにした照明器具が周知である。
【０００３】
このような、照明器具では、使用者の間取り、天井高、身長等によって照明装置本体の高さを調節するため、給電コードの長さを調節可能としている。この際、給電コードの先端には、被取付部と係合するためのシーリングプラグを設けていることから、実際には照明装置本体の内部等に余剰の給電コードを収納可能としている。
【０００４】
また、給電コードは全長が長いほど汎用性を高くすることができることから、余剰の給電コードをコンパクトにかつ整然と収納可能とするのが好ましい。
【０００５】
そこで、シーリングプラグを覆うカバーを、給電コードに沿って変位可能となるように、給電コードの中途部に設けるとともに、カバー内部に給電コードを折り返すための片を一体に突出させた筒状の巻取部材を配置した照明器具が知られている（例えば、特許文献１参照）。
【先行技術文献】
【特許文献】
【０００６】
【特許文献１】特許４３１５８６８号公報
【発明の概要】
【発明が解決しようとする課題】
【０００７】
しかしながら、このような巻取部材は、給電コードを折り返した状態で照明装置本体を吊持するため、照明装置本体の加重を集中して支えなければならないことから、ある程度の強度を確保する必要がある。このため、巻取部材全体が大径化したり厚肉化してしまうという問題が生じていた。
【０００８】
本発明は、上述のような課題を解決するために、給電コードの長さを調節するためのコード調節具の小径化並びに薄肉化に貢献することができる照明器具を提供することを目的とする。
【課題を解決するための手段】
【０００９】
本発明に係る照明器具は、上記目的を達成するため、被取付部と照明装置本体とを電気的に接続する調節具本体と、調節具本体と接続した照明光源を取り付けるソケットと、を備え、調節具本体は、接続部材と、外部電源からの電力を電絡させる給電コードと、給電コードによる被取付部と照明装置本体との相対距離に相当する長さを調節する断面形状が直線状のコード調節具と、接続部材とコード調節具とを覆うカバーと、を備えるものである。
【発明の効果】
【００１０】
本発明によれば、給電コードの長さを調節するためのコード調節具の小径化並びに薄肉化に貢献することができる。
【図面の簡単な説明】
【００１１】
【図１】本発明の一実施の形態に係る照明器具の斜視図である。
【図２】本発明の一実施の形態に係る照明器具に適用されるソケットの縦断面図である。
【図３】本発明の一実施の形態に係る照明器具に適用されるソケットのソケットカバーを取り外した状態の要部の平面図である。
【図４】本発明の一実施の形態に係る照明器具の概略の回路図である。
【図５】本発明の一実施の形態に係る照明器具に適用されるローゼットタイプにおける上側巻き付け方式の調節具本体の要部の縦断面図である。
【図６】本発明の一実施の形態に係る照明器具に適用されるローゼットタイプにおける上側巻き付け方式の調節具本体の要部の斜視図である。
【図７】本発明の一実施の形態に係る照明器具に適用されるローゼットタイプにおけるコード調節具に対して給電コードを上側から巻き付ける例の説明図である。
【図８】本発明の一実施の形態に係る照明器具に適用される他のローゼットタイプにおける下側巻き付け方式の調節具本体の要部の縦断面図である。
【図９】本発明の一実施の形態に係る照明器具に適用される他のローゼットタイプにおける下側巻き付け方式の調節具本体の要部の斜視図である。
【図１０】本発明の一実施の形態に係る照明器具に適用される他のローゼットタイプにおけるコード調節具に対する給電コードを下側から巻き付ける例の説明図である。
【図１１】本発明の一実施の形態に係る照明器具に適用される他のローゼットタイプにおける両側巻き付け方式の調節具本体の要部の縦断面図である。
【図１２】本発明の一実施の形態に係る照明器具に適用される他のローゼットタイプにおける両側巻き付け方式の調節具本体の要部の斜視図である。
【図１３】本発明の一実施の形態に係る照明器具に適用される他のローゼットタイプにおけるコード調節具に対する給電コードを両側から巻き付ける例の説明図である。
【図１４】本発明の一実施の形態に係る照明器具に適用されるレールタイプにおける調節具本体の要部の斜視図である。
【発明を実施するための形態】
【００１２】
＜概要＞
本発明の一態様に係る照明器具は、被取付部と照明装置本体とを電気的に接続する調節具本体と、前記調節具本体と接続した照明光源を取り付けるソケットと、を備え、前記調節具本体は、接続部材と、外部電源からの電力を電絡させる給電コードと、前記給電コードによる前記被取付部と前記照明装置本体との相対距離に相当する長さを調節する断面形状が直線状のコード調節具と、前記接続部材と前記コード調節具とを覆うカバーと、を備える。
【００１３】
他の一態様に係る照明器具において、前記ソケットは、前記外部電源からの電力を電絡する出力端子部と、前記外部電源から前記出力端子部へと向う回路構成上における高電位側又は低電位側にカスケード接続した複数の過電流保護素子と、を備える。
【００１４】
他の一態様に係る照明器具において、前記接続部材は、前記外部電源からの電力を電絡する出力端子部と、前記外部電源から前記出力端子部へと向う回路構成上における高電位側又は低電位側にカスケード接続した複数の過電流保護素子と、を備える。
【００１５】
他の一態様に係る照明器具において、前記複数の過電流保護素子は、所定の特性値以下となったときに自己復帰する復帰型である。
【００１６】
他の一態様に係る照明器具において、前記複数の過電流保護素子には、少なくとも高低で２つの異なった特性値を有するものを用いる。
【００１７】
他の一態様に係る照明器具において、前記複数の過電流保護素子のうち、特性値の低い前記過電流保護素子を前記外部電源側に配置し、特性値の高い前記過電流保護素子を前記前記照明光源側に配置した。
【００１８】
他の一態様に係る照明器具において、前記過電流保護素子には、所定温度を超えると電流を遮断する正の温度係数を有するサーミスタが用いられ、前記特性値の高低は、前記過電流保護素子の最大定格電圧（Ｖ）、保持電流値（Ａ）、トリップ電流値（Ａ）、又は、前記過電流保護素子そのものの過熱に対する前記所定温度の何れか一つ以上を基準としている。
【００１９】
他の一態様に係る照明器具において、前記複数の過電流保護素子には、同一の特性値を有するものを用いる。
【００２０】
他の一態様に係る照明器具において、前記過電流保護素子には、所定温度を超えると電流を遮断する正の温度係数を有するサーミスタが用いられる。
【００２１】
他の一態様に係る照明器具において、前記接続部材は、固定用の引掛シーリングプラグ又はガイドレール用のスライドシーリングプラグである。
【００２２】
＜実施の形態＞
次に、本発明の一実施形態に係る照明器具をペンダント型の照明器具に適用し、図面を参照して説明する。なお、以下に示す実施の形態は本発明の照明器具における好適な具体例であり、技術的に好ましい種々の限定を付している場合もあるが、本発明の技術範囲は、特に本発明を限定する記載がない限り、これらの態様に限定されるものではない。また、以下に示す実施の形態における構成要素は適宜、既存の構成要素等との置き換えが可能であり、かつ、他の既存の構成要素との組み合せを含む様々なバリエーションが可能である。したがって、以下に示す実施の形態の記載をもって、特許請求の範囲に記載された発明の内容を限定するものではない。
【００２３】
図１において、照明器具１は、照明光源２を着脱可能に装着した照明装置本体３と、照明装置本体３を図示しない天井等から吊持するとともに外部電源からの電力を照明光源２に供給する給電コード４と、天井に配置した被取付部（例えば、ローゼット）と照明装置本体３とを電気的に接続する調節具本体５と、を備える。
【００２４】
照明光源２は、一つ以上の発光素子（図示せず）を実装した発光素子型の電球を用いている。なお、発光素子には、例えば、面発光型のＬＥＤ素子を用いており、ユーザが所望する明るさに応じて数や色調の異なる複数種類のものを任意に選択することができる。照明光源２には、例えば、Ｅ１７口金やＥ２６口金に無色透明若しくは乳白色のカバーでＬＥＤ素子及び電源回路を覆っている。
【００２５】
照明装置本体３は、照明光源２から照射した照明光束の一部を下方に向けて拡散反射する傘部６と、傘部６を保持するとともに照明光源２を保持するソケット７と、を備える。
【００２６】
ソケット７は、図２及び図３に示すように、照明光源２の口金（図示せず）と係合する受口金８と、受口金８の裏側に配置した基板９と、基板９に配置した２つの過電流保護素子１０と、外部電源からの電力を基板９へと電絡する給電コード４と、受口金８と基板９とを搭載したソケット本体１１と、給電コードを貫通させるとともにソケット本体１１を嵌合状態で保持するソケットカバー１２と、傘部６を下方から支持するホルダー１３と、を備える。受口金８は、高電位側電力入力端２１と接続されている出力端子部１４Ａと、低電位側電力入力端２２と接続されている受口金部１４Ｂと、で構成されている。
【００２７】
基板９には、一端を基板９に接続するとともに他端を受口金８の内部に臨ませた出力端子部１４Ａと、過電流保護素子１０と、給電コード４を接続する高電位側電力入力端２１及び低電位側電力入力端２２と、を実装している。
【００２８】
ソケット本体１１は、難燃性ポリカ等による樹脂の一体成型品であり、基板９を支持するベース１１ａと、ベース１１ａから立ち上がるランス状の係合爪１１ｂと、受口金８を収納状態で保持する筒状の支持部１１ｃと、を備える。また、支持部１１ｃの外周には、ホルダー１３と螺合してホルダー１３を軸線方向に沿って変位可能に支持する。
【００２９】
ソケットカバー１２は、難燃性ポリカ等の樹脂でドーム形状を呈しており、係合爪１１ｂと係合することでソケット本体１１と係合した状態でベース１１ａを覆うものである。ソケットカバー１２の頂上部には給電コード４を貫通させて基板９の高電位側電力入力端２１及び低電位側電力入力端２２に結線するための貫通穴１２ａを備える。ソケット本体１１とソケットカバー１１２とは、係合爪１１ｂにより係合されてソケット７を形成する。
【００３０】
次に、図４に基づいて、照明器具１の回路構成を説明する。外部電源ＡＣは、給電コード４からソケット７に電力が供給される。ソケット７は、電力を供給する給電コード４を結線する高電位側電力入力端２１、低電位側電力入力端２２、過電流保護素子１０を備えた基板９と、出力端子部１４Ａ及び受口金部１４Ｂを備えた受口金８と、を備える。なお、照明光源２の電源回路の図示及び説明は公知の技術を適用することができるため、ここでは省略する。
【００３１】
複数の過電流保護素子１０は、外部電源ＡＣから出力端子部１４Ａへと向う回路構成上における高電位側（又は低電位側）にカスケード接続している。複数の過電流保護素子１０は、所定の特性値以下となったときに自己復帰する復帰型であって、所定温度を超えると電流を遮断（高抵抗化による阻止）する正の温度係数を有するサーミスタ（ポリスイッチ）を用いている。
【００３２】
次に、複数の過電流保護素子１０の適用例を説明する。本実施の形態において、複数の過電流保護素子１０には、異なる特性値を有するものを用いている。
【００３３】
ここで、特性値とは、製造時の最大定格電圧（Ｖ）、保持電流値（Ａ）、トリップ電流値（Ａ）、又は、過電流保護素子１０そのものの過熱に対する所定温度を示す。そのうえで、複数の過電流保護素子１０には、意図的に少なくとも高低で２つの異なった特性値となるように、異なる種類のものを用いている。
【００３４】
例えば、本実施の形態では、規格上で少なくとも一つの特性値（例えば、所定温度）が高低で差を有するように異なる種類のものを用いている。この際、複数の過電流保護素子１０のうち、特性値の低い過電流保護素子１０を外部電源ＡＣ側に配置し、特性値の高い過電流保護素子１０を照明光源２側に配置することが望ましい。
【００３５】
これにより、過電流保護素子１０は、照明光源２が発光素子型の電球の場合と白熱型の電球の場合とで、受口金８に装着したときの電流値を感知して、白熱型の電球の場合には電流を流さないようにすることができる。
【００３６】
一方、複数の過電流保護素子１０には、規格上で同一の特性値を有するものを用いてもよい。なお、ここでの規格上とは、製造時の最大定格電圧（Ｖ）、保持電流値（Ａ）、トリップ電流値（Ａ）、又は、過電流保護素子１０そのものの過熱に対する所定温度、の設定値が同一の特性値であることを意味する。
【００３７】
このような構成とすれば、複数の過電流保護素子１０に何らかの不具合が発生した場合に、１つの閾値であっても必ず動作させる安全性を確保することができ、照明光源２が発光素子型の電球の場合と白熱型の電球の場合とで、受口金８に装着したときの電流値を感知して、白熱型の電球の場合には電流を流さないようにすることができる。
【００３８】
ところで、本発明の照明器具１は、その趣旨を逸脱しない範囲内において、種々の変更が加えられて実施されるものである。
【００３９】
例えば、過電流保護素子１０は、製造会社や製造工場の立地国が異なると、温湿度、重力、電力等の製造環境が大きく異なる。このため、規格として最大定格電圧（Ｖ）、保持電流値（Ａ）、トリップ電流値（Ａ）、又は、過電流保護素子１０そのものの過熱に対する所定温度といった規格上の特性値は同一であっても、製造時の誤差を含めて多少の差が発生する場合がある。
【００４０】
したがって、規格上の特性値としては同一であっても、このような製造時の誤差を含めた実際の特性値が高低差を有するため、異なる種類のものあえて用いなくてもよい。これにより、実質的に同一の特性値でありながら、厳密には異なる特性値の複数の過電流保護素子１０を用いていることとなる。
【００４１】
このため、上述した規格上で同一の特性値を有する複数の過電流保護素子１０を用いている場合の1つの閾値に対する安全性の確保に加え、異なる特性値を有する複数の過電流保護素子１０を用いている場合の複数の閾値に対する安全性を確保することができる。
【００４２】
これにより、過電流保護素子１０は、照明光源２が発光素子型の電球の場合と白熱型の電球の場合とで、受口金８に装着したときの電流値を感知して、白熱型の電球の場合には電流を流さないようにすることができる。
【００４３】
また、復帰型の過電流保護素子１０は、反応が瞬発的ではないためサージ等による誤動作を抑制することができ、一つの過熱温度に対応した閾値に対して、確実性及び安全性をより一層向上することができる。
【００４４】
しかも、複数の過電流保護素子１０を、例えば、国産と海外産とのように種類を異ならせて使用することにより、製品のばらつきと信頼性に対応することができる。
【００４５】
例えば、上記実施の形態では、本発明の照明器具１としてペンダントライト型に適用したものを開示したが、例えば、ダウンライト型、アップライト型やスポットライト型などを本発明の照明装置に適用可能である。
【００４６】
また、上記実施の形態では、複数の過電流保護素子１０を、高電位側に２つ直列に配置したものを開示したが、３つ以上でもよいし、高電位側と低電位側とで振り分けて配置してもよい。
【００４７】
調節具本体５は、図５及び図６に示すように、給電コード４に加え、給電コード４の一端を接続した接続部材としての引掛シーリングプラグＳＰと、給電コード４による被取付部（天井側のローゼット）と照明装置本体３との相対距離に相当する長さを調節する断面形状が直線状のコード調節具１５と、コード調節具１５の下端に接続したコード案内具１６と、コード調節具１５の下端でコード案内具１６と係合する下蓋１７と、有底円筒形状のカバー１８と、カバー１８の底部に配置して下方に向けて径縮する締付具１９と、を備える。
【００４８】
コード調節具１５は、上端に位置してネジ等（図示せず）を介して引掛シーリングプラグＳＰを固定する固定皿部１５ａと、給電コード４を螺旋状に巻き付けるように上下方向に沿って軸線を有する有底円筒形状の巻付部１５ｂと、を一体に備える。
【００４９】
固定皿部１５ａは、引掛シーリングプラグＳＰの下端形状と略一致しており、本実施の形態では略矩形であり、引掛シーリングプラグＳＰの下端の一部を嵌め込むように深さを有している。固定皿部１５ａは、引掛シーリングプラグＳＰの下端面から引き出した給電コード４を貫通させる上端貫通穴１５ｃを形成している。したがって、給電コード４は、この上端貫通穴１５ｃを貫通させた状態で引掛シーリングプラグＳＰと接合する。また、固定皿部１５ａに引掛シーリングプラグＳＰを固定することにより、給電コード４の天井側の一端の天井との位置関係を固定することができる。
【００５０】
巻付部１５ｂは、軸線方向に沿って中空であり、底部１５ｄに給電コード４が貫通するするとともに側面に向けて開放する下端貫通穴１５ｅを形成している。巻付部１５ｂは、給電コード４の中途部を引き出すことができるように、軸線方向に沿う開口長さ及び周方向に沿う開口幅を有する導出スリット部１５ｆを形成している。なお、図６において、導出スリット部１５ｆは、見掛け上で半割としているが、説明の便宜上であって、軸線方向に沿う開口長さ及び周方向に沿う開口幅を限定するものではない。さらに、導出スリット部１５ｆは、鋭断面で形成されて、給電コード４を巻く作業が行い易い構造となっている。
【００５１】
本実施の形態において、導出スリット部１５ｆの軸線方向に沿う開口長さは、巻付部１５ｂの下端は下端貫通穴１５ｅと連通しており、巻付部１５ｂの上端は上端貫通穴１５ｃの近傍にまで延在している。また、導出スリット部１５ｆの周方向に沿う開口幅は給電コード４の直径以上としている。なお、導出スリット部１５ｆの上端は上端貫通穴１５ｃに連通させてもよい。
【００５２】
コード案内具１６は、上端を軸線周りで相対回転可能となるようにコード調節具１５の底部１５ｄと係合する係合部１６ａと、給電コード４を貫通させる軸部１６ｂと、軸部１６ｂの下端に軸線方向に沿って延在して形成した一つ以上の先割スリット部１６ｃと、を一体に備える。なお、底部１５ｄと係合部１６ａとは、係合すると固定される形状となっており、さらに、軸部１６ｂの外周は雄ネジとなっている。
【００５３】
下蓋１７は、コード案内具１６の軸部１６ｂと螺合する雌ネジを形成した内筒部１７ａと、コード調節具１５の下端と係合する外筒部１７ｂと、を一体に備える。下蓋１７は、内筒部１７ａの上端とコード調節具１５の底部１５ｄとコード案内具１６の係合部１６ａの下端とを係合することにより、コード調節具１５に対するコード案内具１６の相対回転を規制する。したがって、外筒部１７ｂの内径はコード調節具１５の下端の外径よりもやや大径としてコード調節具１５と内接するのが望ましい。この際、その径の差は、下蓋１７の樹脂材料及び外筒部１７ｂの肉厚等の強度によって決定する。
【００５４】
カバー１８は、天井に配置した被取付部としてのローゼット（図示せず）に係合させた取り付け状態において、接続部材としての引掛シーリングプラグＳＰと、コード調節具１５と、を覆っている。カバー１８は、照明装置本体３を給電コード４で吊持している状態で可撓性を有する給電コード４の軸線に沿って進退動可能である。カバー１８は、締付具１９の上端と当接することによって位置決め可能となっている。
【００５５】
締付具１９は、コード案内具１６の軸部１６ｂの下端と螺合するように少なくとも上端寄りの一部に雌ネジを形成するとともに下端に向けて徐々に縮径する貫通穴１９ａを軸線方向に沿って形成している。これにより、締付具１９は、貫通穴１９ａの上端を軸部１６ｂの下端に螺合させることによってコード案内具１６に保持させることができる。この際、コード案内具１６の軸部１６ｂの下端は、先割スリット部１６ｃにより縮径しつつ給電コード４の中途部を締め付けて保持する。
【００５６】
したがって、給電コード４の中途部は、引掛シーリングプラグＳＰと軸部１６ｂの下端との高さＨで規定することができ、結果的に、給電コード４による被取付部（天井側のローゼット）と照明装置本体３との相対距離に相当する長さを規定することができる。
【００５７】
次に、給電コード４の中途部の長さを調節する一例を説明する。例えば、給電コード４による照明装置本体３の吊持状態の長さが最大の長さとなっている状態から短くする場合には、締付具１９とコード案内具１６との螺合状態を解除してコード案内具１６の下端による給電コード４の締め付けを解除する。
【００５８】
次に、図７に示すように、コード案内具１６を下端貫通穴１５ｅの開放端から抜き出して給電コード４の中途部を自由端とするとともに、コード案内具１６を給電コード４の下方に向けて移動させ、給電コードの余剰分を導出スリット部１５ｆから引き出して所望の長さに調節する。
【００５９】
そして、給電コード４をコード調節具１５に上側から螺合させ、図５に示すように、再びコード案内具１６を下端貫通穴１５ｅの開放端から挿入した後、締付具１９とコード案内具１６とを螺合してコード案内具１６の下端により給電コード４を締め付ける。
【００６０】
これにより、給電コード４の一端と中途部との両側を規定しつつ、その間の余剰部分を巻付部１５ｂに螺旋状に巻き付けることができる。この際、天井からの実質的な給電コード４の長さは、引掛シーリングプラグＳＰの上端からコード案内具１６の下端までの高さＨを固定した状態で、螺旋状に巻き付けた分だけ短くしたことになる。
【００６１】
なお、図８〜図１０に示すように、コード調節具１５の上端貫通穴１５ｃを固定皿部１５ａの側面に開放するスリット状とすれば、コード調節具１５に対して引掛シーリングプラグＳＰ及び給電コード４の上端を自由端とすることができる。これにより、給電コード４の中途部を巻付部１５ｂに下側から螺旋状に巻き付けることができる。
【００６２】
この際、導出スリット部１５ｆの軸線方向に沿う開口長さは、巻付部１５ｂの下端は下端貫通穴１５ｅの近傍にまで延在しており、巻付部１５ｂの上端は上端貫通穴１５ｃと連通している。また、導出スリット部１５ｆの周方向に沿う開口幅は給電コード４の直径以上としている。なお、導出スリット部１５ｆの下端は下端貫通穴１５ｅに連通させてもよい。
【００６３】
このような構成とした場合、図１０に示すように、引掛シーリングプラグＳＰをローゼットから取り外した後、コード案内具１６の下端による給電コード４の締め付けを解除したうえで、引掛シーリングプラグＳＰと固定皿部１５ａとの嵌め合い状態を解除する。
【００６４】
次に、コード案内具１６を下端貫通穴１５ｅの開放端から抜き出しつつ給電コード４の下方に向けてコード案内具１６を移動させ、給電コードの余剰分を導出スリット部１５ｆから引き出して所望の長さに調節する。
【００６５】
そして、給電コード４をコード調節具１５に上側から巻き付け、図８に示すように、再びコード案内具１６を下端貫通穴１５ｅの開放端から挿入するとともに、引掛シーリングプラグＳＰを固定皿部１５ａに嵌め合わせる。この後、締付具１９とコード案内具１６とを螺合してコード案内具１６の下端により給電コード４を締め付ける。
【００６６】
これにより、給電コード４の一端と中途部との両側を規定しつつ、その間の余剰部分を巻付部１５ｂに螺旋状に巻き付けることができる。
【００６７】
また、図１１〜図１３に示すように、引掛シーリングプラグＳＰ及びコード案内具１６をコード案内具１６から外すことなく給電コード４の長さを調整することも可能である。この場合、上端貫通穴１５ｃ及び下端貫通穴１５ｅは側面に開放せず、単なる貫通穴でもよい。
【００６８】
したがって、導出スリット部１５ｆの軸線方向に沿う開口長さは、巻付部１５ｂの下端は下端貫通穴１５ｅの近傍にまで延在しており、巻付部１５ｂの上端は上端貫通穴１５ｃの近傍にまで延在していればよい。また、導出スリット部１５ｆの周方向に沿う開口幅は給電コード４の直径以上とする。
【００６９】
このような構成とした場合、図１３に示すように、コード案内具１６の下端による給電コード４の締め付けを解除する。
【００７０】
次に、給電コード４の余剰分を導出スリット部１５ｆから引き出して所望の長さに調節する。
【００７１】
そして、給電コード４の一端と中途部との両側を規定しつつ、引き出した余剰部分をコード調節具１５に巻き付け、図１１に示すように、再び締付具１９とコード案内具１６とを螺合してコード案内具１６の下端により給電コード４を締め付ける。
【００７２】
これにより、給電コード４の一端と中途部との両側を規定しつつ、その間の余剰部分を巻付部１５ｂに螺旋状に巻き付けることができる。
【００７３】
このように、本発明の照明器具１は、被取付部（天井側のローゼット）と照明装置本体３とを電気的に接続する調節具本体５と、調節具本体５と接続した照明光源２を取り付けるソケット７と、を備え、調節具本体５は、引掛シーリングプラグＳＰと、外部電源からの電力を電絡させる給電コード４と、給電コード４による被取付部と照明装置本体３との相対距離に相当する長さを調節する断面形状が直線状のコード調節具１５と、引掛シーリングプラグＳＰとコード調節具１５とを覆うカバー１８と、を備えることにより、給電コード４の長さを調節するためのコード調節具１５の小径化並びに薄肉化に貢献することができる。
【００７４】
ところで、本発明の照明器具１は、その趣旨を逸脱しない範囲内において、種々の変更が加えられて実施されるものである。
【００７５】
例えば、接続部材としてのシーリングプラグは、天井に固定する固定用の引掛シーリングプラグＳＰに替えて、図１４に示すように、ガイドレール用のスライドシーリングプラグＳＰとしてもよい。
【００７６】
例えば、上記実施の形態では、本発明の照明器具１としてペンダント型に適用したものを開示したが、例えば、アップライト型やスポットライト型などを本発明の照明器具に適用可能である。
【００７７】
また、上記実施の形態では、複数の過電流保護素子１０を、高電位側に２つ直列に配置したものを開示したが、３つ以上でもよいし、高電位側と低電位側とで振り分けて配置してもよい。
【００７８】
さらに、複数の過電流保護素子１０を備えたソケット７に替えて、過電流保護素子１０を備えていない通常のソケットとしてもよい。この場合、接続部材に基板を収納して、同様に複数の過電流保護素子を備える。これにより、外部電源から出力端子部へと向う回路構成上における高電位側又は低電位側にカスケード接続した複数の過電流保護素子を備えることになり、通常のソケットでも過電流保護素子を備えた照明器具を構成することができる。
【００７９】
以上説明したように、本発明に係る照明器具１は、給電コードの長さを調節するためのコード調節具の小径化並びに薄肉化に貢献することができるという効果を有し、給電コードによって照明装置本体を吊持した照明器具全般に有用である。
【符号の説明】
【００８０】
１    照明器具
２    照明光源
４    給電コード
５    調節具本体
７    ソケット
１０    過電流保護素子
１３    出力端子部
１５    コード調節具
１８    カバー
ＳＰ    シーリングプラグ（接続部材）
【図１】
2017010695.tif 000003
【図２】
2017010695.tif 000004
【図３】
2017010695.tif 000005
【図４】
2017010695.tif 000006
【図５】
2017010695.tif 000007
【図６】
2017010695.tif 000008
【図７】
2017010695.tif 000009
【図８】
2017010695.tif 000010
【図９】
2017010695.tif 000011
【図１０】
2017010695.tif 000012
【図１１】
2017010695.tif 000013
【図１２】
2017010695.tif 000014
【図１３】
2017010695.tif 000015
【図１４】
2017010695.tif 000016